(57)【要約】【課題】  通過位相の調整を省スペースな構成で実現する増幅器を得る。【解決手段】  複数に分割して配置されたマイクロストリップ線路６〜８と、それらマイクロストリップ線路６〜８の線路方向に取り付け位置を自在にされた入力コネクタ５と、その入力コネクタ５の取り付け位置からトランジスタ４までのマイクロストリップ線路の分割された箇所（例えば、マイクロストリップ線路６とマイクロストリップ線路７との間、あるいはマイクロストリップ線路７とマイクロストリップ線路８との間）を接続する銅箔とを備えた。マイクロストリップ線路の線路長を調整自在にしたことで通過位相を調整することができると共に、Ｕ字型のマイクロストリップ線路等を用いることなく、省スペースな構成で実現することができる。【選択図】        図１
2005341048.tif 000002
【特許請求の範囲】
【請求項１】
入力コネクタに接続され、入力された高周波電力を伝送する入力側マイクロストリップ線路と、
上記入力側マイクロストリップ線路に接続され、伝送された高周波電力を増幅するトランジスタと、
上記トランジスタに接続され、増幅された高周波電力を伝送する出力側マイクロストリップ線路と、
上記出力側マイクロストリップ線路に接続され、伝送された高周波電力を出力する出力コネクタとを備え、
上記入力側マイクロストリップ線路および上記出力側マイクロストリップ線路のうちの少なくとも一方のマイクロストリップ線路を線路方向に複数に分割して配置すると共に、上記入力コネクタおよび上記出力コネクタのうちのマイクロストリップ線路が分割して配置された方のコネクタをその線路方向に取り付け位置を自在にし、そのコネクタの取り付け位置から上記トランジスタまでのマイクロストリップ線路の分割された箇所を接続することを特徴とする増幅器。
【請求項２】
入力コネクタに接続され、入力された高周波電力を伝送する入力側マイクロストリップ線路と、
上記入力側マイクロストリップ線路に接続され、伝送された高周波電力を増幅するトランジスタと、
上記トランジスタに接続され、増幅された高周波電力を伝送する出力側マイクロストリップ線路と、
上記出力側マイクロストリップ線路に接続され、伝送された高周波電力を出力する出力コネクタとを備え、
上記入力側マイクロストリップ線路および上記出力側マイクロストリップ線路のうちの少なくとも一方のマイクロストリップ線路は、
第１の基板上に任意の線路長により配置され、上記入力コネクタまたは上記出力コネクタに接続された第１のマイクロストリップ線路と、
第２の基板上に配置され、上記第１のマイクロストリップ線路および上記トランジスタに接続された第２のマイクロストリップ線路とを備えたことを特徴とする増幅器。
【請求項３】
入力コネクタに接続され、入力された高周波電力を伝送する入力側マイクロストリップ線路と、
上記入力側マイクロストリップ線路に接続され、伝送された高周波電力を増幅するトランジスタと、
上記トランジスタに接続され、増幅された高周波電力を伝送する出力側マイクロストリップ線路と、
上記出力側マイクロストリップ線路に接続され、伝送された高周波電力を出力する出力コネクタとを備え、
上記入力側マイクロストリップ線路および上記出力側マイクロストリップ線路のうちの少なくとも一方のマイクロストリップ線路は、
一端が上記入力コネクタまたは上記出力コネクタに接続され、他端がマイクロストリップ線路の線路方向にスライド可能に接続される金属片を備えたことを特徴とする増幅器。
【請求項４】
上記入力側マイクロストリップ線路および上記出力側マイクロストリップ線路のうちの少なくとも一方のマイクロストリップ線路は、
第１の基板上に任意の線路長により配置され、上記入力コネクタまたは上記出力コネクタに接続された第１のマイクロストリップ線路と、
第２の基板上に線路方向に複数に分割して配置され、上記第１のマイクロストリップ線路および上記トランジスタに接続された第２のマイクロストリップ線路とを備え、
上記第１のマイクロストリップ線路を上記第２のマイクロストリップ線路の線路方向に接続位置を自在にし、その第１のマイクロストリップ線路の接続位置から上記トランジスタまでの第２のマイクロストリップ線路の分割された箇所を接続することを特徴とする請求項３記載の増幅器。
【請求項５】
入力コネクタまたは出力コネクタのうちのマイクロストリップ線路の線路方向に取り付け位置を自在にしたコネクタは、
取り付け可能な位置毎に１組の螺子穴がそれぞれ設けられ、１組の螺子により固定されることを特徴とする請求項１、請求項３および請求項４のうちのいずれか１項記載の増幅器。
【請求項６】
入力コネクタまたは出力コネクタのうちのマイクロストリップ線路の線路方向に取り付け位置を自在にしたコネクタは、
取り付け位置の変更方向を長手方向とした長細穴を有する固定部材に保持され、
取り付け可能な位置に１組の螺子穴が設けられ、１組の螺子によりその固定部材の長細穴および螺子穴を通してスライド可能に固定されることを特徴とする請求項１、請求項３および請求項４のうちのいずれか１項記載の増幅器。
【発明の詳細な説明】
【技術分野】
【０００１】
この発明は、位相調整可能な増幅器に関するものである。
【背景技術】
【０００２】
２つの単位増幅器を合成して用いる２合成増幅器では、２つの単位増幅器間の通過位相を調整する必要がある。この通過位相の調整は、一般にマイクロストリップ線路の線路長を物理的に変化させることにより行なわれる。
従来では、このマイクロストリップ線路の線路長を変化させる手法として、例えば、マイクロストリップ線路の途中にギャップを設け、そのギャップ間に、別基板上に配置され、線路長を調整可能なＵ字型のマイクロストリップ線路を接続するものがある（例えば、特許文献１参照）。
【０００３】
【特許文献１】特開平５−１４００４号公報
【発明の開示】
【発明が解決しようとする課題】
【０００４】
従来の増幅器は以上のように構成されているので、Ｕ字型のマイクロストリップ線路を配置した基板面積の大きな別基板を設ける必要があり、基板面積に制限のある２合成増幅器に適用することができないなどの課題があった。
【０００５】
この発明は上記のような課題を解決するためになされたもので、通過位相の調整を省スペースな構成で実現する増幅器を得ることを目的とする。
【課題を解決するための手段】
【０００６】
この発明に係る増幅器は、入力側マイクロストリップ線路および出力側マイクロストリップ線路のうちの少なくとも一方のマイクロストリップ線路を線路方向に複数に分割して配置すると共に、入力コネクタおよび出力コネクタのうちのマイクロストリップ線路が分割して配置された方のコネクタをその線路方向に取り付け位置を自在にし、そのコネクタの取り付け位置からトランジスタまでのマイクロストリップ線路の分割された箇所を接続するものである。
【発明の効果】
【０００７】
この発明によれば、複数に分割して配置されたマイクロストリップ線路の線路方向にコネクタの取り付け位置を自在にし、マイクロストリップ線路の分割された箇所を接続することにより、マイクロストリップ線路の線路長を調整自在にしたことで通過位相を調整することができると共に、Ｕ字型のマイクロストリップ線路等を用いることなく、省スペースな構成で実現することができる効果がある。
【発明を実施するための最良の形態】
【０００８】
実施の形態１．
図１はこの発明の実施の形態１による位相調整回路を基板上に配置した単位増幅器を示す構成図であり、図において、ベース１上に、基板２，３、トランジスタ４が取り付けられている。入力コネクタ５は、複数に分割されたマイクロストリップ線路（入力側マイクロストリップ線路）６〜８の線路方向に取り付け位置が自在にされ、それらマイクロストリップ線路６〜８のいずれかに接続されるものである。なお、入力コネクタ５の取り付け位置からトランジスタ４までのマイクロストリップ線路の分割された箇所を接続することにより線路長を調整可能な位相調整回路９を構成する。
ＤＣカットコンデンサ１０は、マイクロストリップ線路８に接続され、インピーダンスマッチング回路１１は、マイクロストリップ線路（入力側マイクロストリップ線路）により構成され、ＤＣカットコンデンサ１０およびトランジスタ４のゲートに接続されたものである。バイアス電圧端子１２は、インピーダンスマッチング回路１１のマイクロストリップ線路と一体成形され、パイパスコンデンサ１３は、そのバイアス電圧端子１２およびトランジスタ４のゲート間に設けられたものである。
インピーダンスマッチング回路１４は、マイクロストリップ線路（出力側マイクロストリップ線路）により構成され、トランジスタ４のドレインまたはソースに接続され、電源電圧端子１５は、インピーダンスマッチング回路１４のマイクロストリップ線路と一体成形され、パイパスコンデンサ１６は、その電源電圧端子１５およびトランジスタ４のドレインまたはソース間に設けられたものである。ＤＣカットコンデンサ１７は、インピーダンスマッチング回路１４に接続され、マイクロストリップ線路（出力側マイクロストリップ線路）１８は、ＤＣカットコンデンサ１７に接続され、出力コネクタ１９は、マイクロストリップ線路１８に接続されたものである。
【０００９】
次に動作について説明する。
図１において、入力コネクタ５から入力された高周波電力は、複数に分割されたマイクロストリップ線路６〜８からなる位相調整回路９、ＤＣカットコンデンサ１０およびインピーダンスマッチング回路１１を通過しトランジスタ４に入力される。トランジスタ４のバイアス電圧は、バイアス電圧端子１２より印加される。トランジスタ４により増幅された高周波電力は、インピーダンスマッチング回路１４、ＤＣカットコンデンサ１７およびマイクロストリップ線路１８を通過して出力コネクタ１９より出力される。トランジスタ４の電源電圧は、電源電圧端子１５より供給される。なお、パイパスコンデンサ１３，１６は、トランジスタ４側からの高周波をグランドに流し、直流電源への高周波の影響を低減する。
ここで、１つの単位増幅器により得られる電力には限界があるので、２つの単位増幅器を並列接続して２合成増幅器を構成することにより、大出力の高周波電力を得る手法がある。この場合、並列接続する単位増幅器の通過位相を一致させないと合成が正常に行えない。
図１に示した単位増幅器では、ＤＣカットコンデンサ１０，１７およびトランジスタ４等の個体差、取付け位置により、入力コネクタ５から出力コネクタ１９までの通過位相はばらつく。そのため、入力コネクタ５の取り付け位置を自在にすると共に、マイクロストリップ線路の線路長を変化させ、通過位相を調整可能な位相調整回路９を設けている。
【００１０】
以下、単位増幅器の位相調整回路９について詳細に説明する。
図２はこの発明の実施の形態１による単位増幅器の位相調整回路の詳細を示す構成図である。図２（Ａ）では、入力コネクタ５がマイクロストリップ線路６〜８の線路方向（図では縦方向）に取り付け位置を自在にされていることから、入力コネクタ５の芯線をマイクロストリップ線路８に接続したものである。したがって、この図２（Ａ）に示した構成によれば、入力コネクタ５から入力された高周波電力は、マイクロストリップ線路８、ＤＣカットコンデンサ１０およびインピーダンスマッチング回路１１を通過しトランジスタ４に入力される。ここで、入力コネクタ５の芯線からＤＣカットコンデンサ１０に至る線路長をｔ１とする。なお、図２（Ｃ）は図２（Ａ）の側面図である。
図２（Ｂ）では、入力コネクタ５の取り付け位置を変更し、入力コネクタ５の芯線をマイクロストリップ線路７に接続したものである。マイクロストリップ線路７とマイクロストリップ線路８とは銅箔等により接続する。したがって、この図２（Ｂ）に示した構成によれば、入力コネクタ５から入力された高周波電力は、マイクロストリップ線路７、銅箔、マイクロストリップ線路８、ＤＣカットコンデンサ１０およびインピーダンスマッチング回路１１を通過しトランジスタ４に入力される。ここで、入力コネクタ５の芯線からＤＣカットコンデンサ１０に至る線路長をｔ２とする。
このように、入力コネクタ５の取付け位置を、図２（Ａ）の状態から図２（Ｂ）の状態に変更することで、線路長をｔ１からｔ２に変更することができる。このことにより、入力コネクタ５からＤＣカットコンデンサ１０までの通過位相を変更でき、延いては単位増幅器の通過位相を調整することが可能となる。
さらに、線路長を長くしたい場合には、入力コネクタ５の芯線をマイクロストリップ線路６に接続し、マイクロストリップ線路６とマイクロストリップ線路７、マイクロストリップ線路７とマイクロストリップ線路８を銅箔等により接続し、さらに通過位相を遅らせることも可能である。
図３はこの発明の実施の形態１による単位増幅器を示す回路図であり、図３（Ａ）は図１に示した単位増幅器に位相調整回路として図２（Ａ）の接続を適用した回路図であり、図３（Ｂ）は図１に示した単位増幅器に位相調整回路として図２（Ｂ）の接続を適用した回路図である。なお、符号は図１に示したものと同等である。
【００１１】
図４はこの発明の実施の形態１による単位増幅器の入力コネクタの取り付け構造を示す組み立て図であり、図において、１組の螺子穴２１，２２は、入力コネクタ５の取り付け可能な位置毎にそれぞれ設けられ、この実施の形態１の場合、マイクロストリップ線路６〜８用に３組の計６個の螺子穴が設けられたものである。固定部材２３は、入力コネクタ５を保持するものであり、１組の螺子２４，２５は、その固定部材２３および１組の螺子穴２１，２２に通して入力コネクタ５を所望の位置に固定するものである。
このように、予め複数組の螺子穴２１，２２を設けておくことにより、入力コネクタ５を所望の位置に容易に取り付けることができる。
【００１２】
図５はこの発明の実施の形態１による２合成増幅器を示す回路図であり、図において、２分配器２６は、入力される高周波電力を２分配するものであり、単位増幅器２７，２８は、それぞれ図１に示したような位相調整回路９を設けた単位増幅器である。２合成器２９は、単位増幅器２７，２８から出力された高周波電力を２合成するものである。
図６はこの発明の実施の形態１による２合成増幅器を示す構成図であり、図６（Ａ）はその平面図、図６（Ｂ）はその側面図である。図において、フィン３０は、単位増幅器２７，２８により発生された熱を放熱するものである。なお、符号は図１および図５に示したものと同等である。
図５および図６において、入力された高周波電力は、２分配器２６により２分配され、単位増幅器２７，２８によりそれぞれ増幅され、２合成器２９により２合成された高周波電力が出力される。この時、フィン３０は、単位増幅器２７，２８により発生された熱を放熱する。
このように、大出力の高周波電力を得るには、図５および図６に示したように、２つの単位増幅器を並列接続して２合成増幅器を構成することになるが、２合成器２９では、ベクトル合成が行われるため、２合成器２９の入力位相が異なると損失が発生する。そこで、単位増幅器２７，２８として、図１に示した単位増幅器を用いることにより、単位増幅器２７，２８の両通過位相を容易に一致させることができ、効率的に２合成増幅器を動作させることができる。
【００１３】
以上のように、この実施の形態１によれば、複数に分割して配置されたマイクロストリップ線路６〜８の線路方向に入力コネクタ５の取り付け位置を自在にし、マイクロストリップ線路６〜８の分割された箇所を接続することにより、マイクロストリップ線路の線路長を調整自在にしたことで通過位相を調整することができると共に、Ｕ字型のマイクロストリップ線路等を用いることなく、省スペースな構成で実現することができる。
なお、この実施の形態１の図１に示した単位増幅器では、入力コネクタ５の取り付け位置を自在にすると共に、入力側マイクロストリップ線路の線路長を変化させ、通過位相を調整可能な位相調整回路９を設けたが、これは入力側に限らず、出力側に設けても良く、出力コネクタ１９の取り付け位置を自在にすると共に、出力側マイクロストリップ線路の線路長を変化させ、通過位相を調整可能な位相調整回路を設けても同様な効果を奏する。
さらに、この場合、図４に示した単位増幅器の入力コネクタの取り付け構造についても、出力コネクタの取り付け構造として適用しても良く、同様な効果を奏する。
【００１４】
実施の形態２．
図７はこの発明の実施の形態２による単位増幅器の位相調整回路の詳細を示す構成図である。図７（Ａ）はその平面図、図７（Ｂ）はその側面図である。図において、ベース３１上に、基板（第１の基板）３２が取り付けられ、その基板３２上には、基板（第２の基板）２上に配置されたマイクロストリップ線路（第２のマイクロストリップ線路）８と同一のインピーダンスからなり、任意の線路長に形成され、入力コネクタ５に接続されたマイクロストリップ線路（第１のマイクロストリップ線路）３３が配置されている。その他の構成については、図２と同等である。
【００１５】
次に動作について説明する。
この実施の形態２は、線路長を調整自在にする構成として、単位増幅器に別の基板３２で用意したマイクロストリップ線路３３を継ぎ足す手法のものを示したものである。
図７において、ベース３１、基板３２および任意の線路長に形成され、マイクロストリップ線路８と同一のインピーダンスからなるマイクロストリップ線路３３が配置された追加基板を、入力コネクタ５とマイクロストリップ線路８を配置した基板２との間に継ぎ足し、新たに追加したマイクロストリップ線路３３とマイクロストリップ線路８とは、銅箔等により接続する。この時、入力コネクタ５からＤＣカットコンデンサ１０までの線路長ｔ３は、新たに追加したマイクロストリップ線路３３を追加する前の線路長ｔ１に比べて長くすることができ、入力コネクタ５からＤＣカットコンデンサ１０までの通過位相を変化させることができる。
なお、新たに追加するマイクロストリップ線路３３の基板３２は、単位増幅器に使用の基板２の材料と同じものである必要はない。誘電率が異なる基板材で同じ長さの新たに追加するマイクロストリップ線路を用意することにより、位相の微調整を行うことも可能となる。
【００１６】
以上のように、この実施の形態２によれば、任意の線路長からなり、入力コネクタ５に接続されるマイクロストリップ線路３３を配置した基板３２を設けたことにより、マイクロストリップ線路の線路長を調整自在にしたことで通過位相を調整することができると共に、Ｕ字型のマイクロストリップ線路等を用いることなく、省スペースな構成で実現することができる。
なお、この実施の形態２の図７に示した単位増幅器では、入力コネクタ５とマイクロストリップ線路８を配置した基板２との間に、任意の線路長に形成されたマイクロストリップ線路３３が配置された追加基板３２を継ぎ足し、入力側マイクロストリップ線路の線路長を変化させ、通過位相を調整可能な位相調整回路を設けたが、これは入力側に限らず、出力側に設けても良く、出力コネクタ１９とマイクロストリップ線路１８を配置した基板３との間に、任意の線路長に形成されたマイクロストリップ線路が配置された追加基板を継ぎ足し、出力側マイクロストリップ線路の線路長を変化させ、通過位相を調整可能な位相調整回路を設けても同様な効果を奏する。
【００１７】
実施の形態３．
図８はこの発明の実施の形態３による単位増幅器の位相調整回路の詳細を示す構成図であり、図において、１組の螺子穴２１，２２は、入力コネクタ５の取り付け可能な位置に１組だけ設けられたものである。固定部材３４は、入力コネクタ５を保持するものであり、取り付け位置の変更方向（図では縦方向）を長手方向とした長細穴３５を有するものである。１組の螺子２４，２５は、その固定部材３４の長細穴３５および１組の螺子穴２１，２２に通して入力コネクタ５をスライド可能に固定するものである。
また、金属片３６は、一端が入力コネクタ５に接続され、他端がマイクロストリップ線路８の線路方向にスライド可能に接続されるものである。その他の構成については、図２と同等である。
【００１８】
次に動作について説明する。
この実施の形態３は、線路長を調整自在にする構成として、取り付け位置の変更方向にスライド可能な入力コネクタ５および金属片３６を設けたものである。
図８において、金属片３６を基板２の表面上に配置して、金属片３６の一端を入力コネクタ５の芯線に接続すると共に、他端を基板２上のマイクロストリップ線路８に接続する。金属片３６は、マイクロストリップ線路８と同一の幅とし、金属片３６を基板２の表面上に配置した時のインピーダンスは、マイクロストリップ線路８と同一になるようにする。このようにすることで、入力コネクタ５の入力インピーダンスを一定に保つことが可能である。
図８（Ａ）は入力コネクタ５と基板２とを分離した平面図であり、図８（Ｄ）はその側面図である。図８（Ｂ）は入力コネクタ５からＤＣカットコンデンサ１０までの線路長をｔ４と最も短くした平面図であり、図８（Ｅ）はその側面図である。固定部材３４に保持された入力コネクタ５は、１組の螺子２４，２５を固定部材３４の長細穴３５および１組の螺子穴２１，２２に通すことにより入力コネクタ５をスライド可能に固定される。図８（Ｃ）は入力コネクタ５および金属片３６をスライドさせて入力コネクタ５からＤＣカットコンデンサ１０までの線路長をｔ５と最も長くした平面図であり、図８（Ｆ）はその側面図である。
このように、入力コネクタ５および金属片３６をスライドさせることにより、入力コネクタ５からＤＣカットコンデンサ１０までの線路長ｔ４をｔ５と長くすることができ、入力コネクタ５からＤＣカットコンデンサ１０までの通過位相を変化させることができる。
【００１９】
以上のように、この実施の形態３によれば、マイクロストリップ線路８の線路方向にスライド可能に接続される金属片３６を設けたことにより、マイクロストリップ線路８の線路長を調整自在にしたことで通過位相を調整することができると共に、Ｕ字型のマイクロストリップ線路等を用いることなく、省スペースな構成で実現することができる。
なお、マイクロストリップ線路８を伸ばすために、分割されたマイクロストリップ線路６，７や、別基板３２のマイクロストリップ線路３３を用いないために、上記実施の形態１，２と異なり連続に位相を変化させることが可能になる。また、金属片３６の代わりにプリント基板を用いるようにしても良く、同様な効果が得られる。
また、１組の螺子穴２１，２２を設けるだけで入力コネクタ５を固定することができ、製作工程を容易にすることができる。また、入力コネクタ５を一旦取り付けた後に連続的にスライドさせて取り付け位置を調整することができるので、通過位相の微調整を容易にすることができる。
なお、この実施の形態３の図８に示した単位増幅器では、取り付け位置の変更方向にスライド可能な入力コネクタ５および金属片３６を設けたが、これは入力側に限らず、出力側に設けても良く、取り付け位置の変更方向にスライド可能な出力コネクタ１９および金属片を設け、出力側マイクロストリップ線路の線路長を変化させ、通過位相を調整可能な位相調整回路を設けても同様な効果を奏する。
さらに、この場合、図８（Ａ）に示した単位増幅器の入力コネクタの取り付け構造についても、出力コネクタの取り付け構造として適用しても良く、同様な効果を奏する。
さらに、上記実施の形態１に適用しても良く、同様な効果を奏する。
図９はこの発明の実施の形態３による単位増幅器の位相調整回路の詳細を示す構成図であり、図８（Ａ）に示した単位増幅器の入力コネクタの取り付け構造を上記実施の形態１に適用したものである。なお、符号は図２および図８に示したものと同等である。
【００２０】
実施の形態４．
図１０はこの発明の実施の形態４による単位増幅器の位相調整回路の詳細を示す構成図である。図１０（Ａ）はその平面図、図１０（Ｂ）はその側面図である。図において、ベース３１上に、基板３２が取り付けられ、その基板３２上には、基板２上に配置されたマイクロストリップ線路８と同一のインピーダンスからなり、任意の線路長に形成され、入力コネクタ５に接続されたマイクロストリップ線路３３が配置されている。
また、入力コネクタ５は、複数に分割されたマイクロストリップ線路６〜８の線路方向に取り付け位置が自在にされ、それらマイクロストリップ線路６〜８のいずれかに接続されるものである。その他の構成については、図２と同等である。
【００２１】
次に動作について説明する。
この実施の形態４は、上記実施の形態１による入力コネクタ５の取り付け位置を自在にすると共にマイクロストリップ線路の線路長を変化させる手法と、上記実施の形態２による単位増幅器に別の基板３２で用意したマイクロストリップ線路３３を継ぎ足す手法とを組み合わせたものである。
図１０において、任意の線路長に設定可能なマイクロストリップ線路３３が配置された基板３２を、マイクロストリップ線路６〜８の線路方向に接続位置を自在にし、マイクロストリップ線路３３の接続位置からマイクロストリップ線路８までの分割された箇所を銅箔等により接続することにより、線路長を例えばｔ６と変化させることができ、入力コネクタ５からＤＣカットコンデンサ１０までの通過位相を変化させることができる。
【００２２】
以上のように、この実施の形態４によれば、任意の線路長からなり、入力コネクタ５に接続されるマイクロストリップ線路３３を配置した基板３２を設けると共に、複数に分割して配置されたマイクロストリップ線路６〜８の線路方向にマイクロストリップ線路３３の接続位置を自在にし、マイクロストリップ線路６〜８の分割された箇所を接続することにより、マイクロストリップ線路の線路長の調整の自由度がさらに増え、通過位相をさらに容易に調整することができる。
なお、この実施の形態４に示した単位増幅器では、入力側に位相調整回路を設けたものを示したが、これは入力側に限らず、出力側に設けても良く、同様な効果を奏する。
さらに、単位増幅器の入力コネクタの取り付け構造についても、図４の他、図８に示した構造を適用しても良く、同様な効果を奏する。
【図面の簡単な説明】
【００２３】
【図１】この発明の実施の形態１による位相調整回路を基板上に配置した単位増幅器を示す構成図である。
【図２】この発明の実施の形態１による単位増幅器の位相調整回路の詳細を示す構成図である。
【図３】この発明の実施の形態１による単位増幅器を示す回路図である。
【図４】この発明の実施の形態１による単位増幅器の入力コネクタの取り付け構造を示す組み立て図である。
【図５】この発明の実施の形態１による２合成増幅器を示す回路図である。
【図６】この発明の実施の形態１による２合成増幅器を示す構成図である。
【図７】この発明の実施の形態２による単位増幅器の位相調整回路の詳細を示す構成図である。
【図８】この発明の実施の形態３による単位増幅器の位相調整回路の詳細を示す構成図である。
【図９】この発明の実施の形態３による単位増幅器の位相調整回路の詳細を示す構成図である。
【図１０】この発明の実施の形態４による単位増幅器の位相調整回路の詳細を示す構成図である。
【符号の説明】
【００２４】
１，３１  ベース、２，３  基板（第２の基板）、４  トランジスタ、５  入力コネクタ、６〜８  マイクロストリップ線路（入力側マイクロストリップ線路、第２のマイクロストリップ線路）、９  位相調整回路、１０，１７  ＤＣカットコンデンサ、１１，１４  インピーダンスマッチング回路、１２  バイアス電圧端子、１３，１６  パイパスコンデンサ、１５  電源電圧端子、１８  マイクロストリップ線路（出力側マイクロストリップ線路）、１９  出力コネクタ、２１，２２  螺子穴、  ２３，３４  固定部材、２４，２５  螺子、２６  ２分配器、２７，２８  単位増幅器、２９  ２合成器、３０  フィン、３２  基板（第１の基板）、３３  マイクロストリップ線路（第１のマイクロストリップ線路）、３５  長細穴、３６  金属片。
【図１】
2005341048.tif 000003
【図２】
2005341048.tif 000004
【図３】
2005341048.tif 000005
【図４】
2005341048.tif 000006
【図５】
2005341048.tif 000007
【図６】
2005341048.tif 000008
【図７】
2005341048.tif 000009
【図８】
2005341048.tif 000010
【図９】
2005341048.tif 000011
【図１０】
2005341048.tif 000012